(57)【特許請求の範囲】
【請求項１】
発行済みの通帳が挿入される通帳挿入口と、
払込書が挿入される払込書挿入口と、
前記発行済みの通帳および前記払込書に印字を行う印字部と、
前記印字部によって印字された前記払込書を収納する払込書収納部と、
新規通帳が収納されている通帳収納部と、
前記印字部に前記発行済みの通帳および前記払込書への印字を行わせ、前記発行済みの通帳に印字し切れない場合に、前記通帳収納部に前記新規通帳を繰り出させて前記印字部に前記新規通帳への印字を行わせる制御部と、を備え、
前記制御部は、
前記印字部によって印字された前記払込書を所定の第一の位置に一時退避させるとともに、前記印字部によって印字された前記発行済みの通帳を所定の第二の位置に一時退避させた後に、前記通帳収納部から前記印字部に前記新規通帳を搬送させる、
媒体処理装置。
【請求項２】
前記所定の第一の位置および前記所定の第二の位置それぞれは、
前記通帳収納部から前記印字部までの搬送路上の位置とは異なる位置である、
請求項１に記載の媒体処理装置。
【請求項３】
前記所定の第一の位置および前記所定の第二の位置それぞれは、
前記印字部から前記通帳挿入口までの搬送路上の位置とは異なる位置である、
請求項１または２に記載の媒体処理装置。
【請求項４】
前記制御部は、
前記印字部によって印字された前記新規通帳を、前記印字部によって印字された前記発行済みの通帳よりも前に前記通帳挿入口に搬送させる、
請求項１から３のいずれか一項に記載の媒体処理装置。
【請求項５】
前記払込書挿入口から前記印字部に至るまでの搬送路には、前記払込書収納部から前記印字部に至るまでの搬送路が途中で合流しており、当該合流地点と前記払込書収納部との間の搬送路の搬送方向は、双方向である、
請求項１に記載の媒体処理装置。
【請求項６】
前記払込書挿入口から前記印字部に至るまでの搬送路には、前記通帳収納部から前記印字部に至るまでの搬送路が途中で合流しており、当該合流地点と前記通帳収納部との間の搬送路の搬送方向は、双方向である、
請求項１に記載の媒体処理装置。
【請求項７】
前記媒体処理装置は、
前記払込書収納部と前記通帳収納部とが一体化されたカセットを有する、
請求項１に記載の媒体処理装置。
【発明の詳細な説明】
【技術分野】
【０００１】
本発明は、媒体処理装置に関するものである。
【背景技術】
【０００２】
昨今、複数種類の媒体を処理する媒体処理装置が存在する。例えば、通帳および払込書を処理する媒体処理装置が存在する。かかる媒体処理装置においては、払込書収納部が媒体処理装置に装着されているときに印字済みの払込書が払込書収納部に収納され、払込書収納部の代わりに通帳収納部が媒体処理装置に装着されているときに通帳収納部に収納されている新規通帳が繰り出される（例えば、特許文献１参照）。
【先行技術文献】
【特許文献】
【０００３】
【特許文献１】特開２０１０−１２２９８３号公報
【発明の概要】
【発明が解決しようとする課題】
【０００４】
しかしながら、払込書収納部および通帳収納部のうち一方しか装着され得ない媒体処理装置を用いた場合には、払込書の処理時に通帳収納部を媒体処理装置から取り外して払込書収納部を媒体処理装置に装着し、新規通帳の発行時に払込書収納部を媒体処理装置から取り外して通帳収納部を媒体処理装置に装着しなくてはならない。そのため、払込書収納部および通帳収納部の着脱の手間が掛かってしまう。
【０００５】
そこで、本発明は、上記問題に鑑みてなされたものであり、本発明の目的とするところは、印字済みの払込書を収納する払込書収納部および新規通帳を収納する通帳収納部の着脱の手間を低減することが可能な技術を提供することにある。
【課題を解決するための手段】
【０００６】
上記問題を解決するために、本発明のある観点によれば、発行済みの通帳が挿入される通帳挿入口と、払込書が挿入される払込書挿入口と、前記発行済みの通帳および前記払込書に印字を行う印字部と、前記印字部によって印字された前記払込書を収納する払込書収納部と、新規通帳が収納されている通帳収納部と、を備える、媒体処理装置が提供される。
【０００７】
前記媒体処理装置は、前記印字部に前記発行済みの通帳および前記払込書への印字を行わせ、前記発行済みの通帳に印字し切れない場合に、前記通帳収納部に前記新規通帳を繰り出させて前記印字部に前記新規通帳への印字を行わせる制御部を備えてよい。
【０００８】
前記制御部は、前記印字部によって印字された前記払込書を所定の第一の位置に一時退避させるとともに、前記印字部によって印字された前記発行済みの通帳を所定の第二の位置に一時退避させた後に、前記通帳収納部から前記印字部に前記新規通帳を搬送させてよい。
【０００９】
前記所定の第一の位置および前記所定の第二の位置それぞれは、前記通帳収納部から前記印字部までの搬送路上の位置とは異なる位置であってよい。
【００１０】
前記所定の第一の位置および前記所定の第二の位置それぞれは、前記印字部から前記通帳挿入口までの搬送路上の位置とは異なる位置であってよい。
【００１１】
前記制御部は、前記印字部によって印字された前記新規通帳を、前記印字部によって印字された前記発行済みの通帳よりも前に前記通帳挿入口に搬送させてよい。
【００１２】
前記払込書挿入口から前記印字部に至るまでの搬送路には、前記払込書収納部から前記印字部に至るまでの搬送路が途中で合流しており、当該合流地点と前記払込書収納部との間の搬送路の搬送方向は、双方向であってよい。
【００１３】
前記払込書挿入口から前記印字部に至るまでの搬送路には、前記通帳収納部から前記印字部に至るまでの搬送路が途中で合流しており、当該合流地点と前記通帳収納部との間の搬送路の搬送方向は、双方向であってよい。
【００１４】
前記媒体処理装置は、前記払込書収納部と前記通帳収納部とが一体化されたカセットを有してよい。
【発明の効果】
【００１５】
以上説明したように本発明によれば、印字済みの払込書を収納する払込書収納部および新規通帳を収納する通帳収納部の着脱の手間を低減することが可能となる。
【図面の簡単な説明】
【００１６】
【図１】払込部が装着された一般的な媒体処理装置の内部構成の一例を示す概略図である。
【図２】払込部の代わりに通帳発行部が装着された一般的な媒体処理装置の内部構成の一例を示す概略図である。
【図３】本発明の第１の実施形態に係る媒体処理装置の内部構成の一例を示す概略図である。
【図４】払込書および発行済みの通帳の挿入から払込書への印字までの媒体処理装置の動作の一例を説明するための概略図である。
【図５】払込書の印字から払込書および発行済みの通帳の一時退避までの媒体処理装置の動作の一例を説明するための概略図である。
【図６】払込書および発行済みの通帳の一時退避から発行済みの通帳の排出までの媒体処理装置の動作の一例を説明するための概略図である。
【図７】通帳収納部から新規通帳が繰り出される様子を示す図である。
【図８】発行済みの通帳の排出から払込書の収納までの媒体処理装置の動作の一例を示す図である。
【図９】払込書が払込収納部に収納される様子を示す図である。
【図１０】本発明の第２の実施形態に係る媒体処理装置の内部構成の一例を示す概略図である。
【図１１】媒体処理装置が有するカセットの内部構成の一例を示す正面図である。
【図１２】媒体処理装置が有するカセットの内部構成の一例を示す側面図である。
【図１３】第１の変形例に係るカセットの内部構成の一例を示す図である。
【図１４】第２の変形例に係るカセットの内部構成の一例を示す図である。
【図１５】第３の変形例に係るカセットの内部構成の一例を示す図である。
【発明を実施するための形態】
【００１７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１８】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１９】
（１．一般的な媒体処理装置の構成）
図１および図２を参照しながら、一般的な媒体処理装置について説明する。図１は、払込部１０４が装着された一般的な媒体処理装置Ｘの内部構成の一例を示す概略図である。図１に示すように、一般的な媒体処理装置Ｘは、通帳挿入口１０９、インサータ部１０１、頁読取部・ＡＴＰ部１０２および印字部１０３を備える。また、媒体処理装置Ｘには、払込部１０４が装着されている。払込部１０４は、払込書挿入口１１０、２つの払込書収納部１０５および２つの搬送路１０６を有する。
【００２０】
媒体処理装置Ｘの利用者によって通帳挿入口１０９に通帳が挿入されると、インサータ部１０１によって通帳が取り込まれ、頁読取部・ＡＴＰ部１０２によって指定頁が開かれた状態となるまで通帳の頁めくりが行われ、印字部１０３によって指定頁に印字が行われる。印字がなされた通帳は、印字部１０３から頁読取部・ＡＴＰ部１０２およびインサータ部１０１を経由して通帳挿入口１０９から媒体処理装置Ｘの外部に排出される。インサータ部１０１と印字部１０３との間の搬送方向は、双方向である（インサータ部１０１から印字部１０３への方向と印字部１０３からインサータ部１０１への方向との間で切り替えがなされ得る）。
【００２１】
一方、媒体処理装置Ｘの利用者によって払込書挿入口１１０に払込書が挿入されると、払込部１０４から印字部１０３に払込書が搬送され、印字部１０３によって払込書に印字が行われる。印字がなされた払込書は、２つの払込書収納部１０５の何れかに搬送される。払込書挿入口１１０から印字部１０３に至るまでの搬送路には、２つの払込書収納部１０５から印字部１０３に至るまでの搬送路が途中で合流している。この合流地点Ｊ１と払込書収納部１０５との間の搬送路１０６の搬送方向は、払込書の逆流防止のため、合流地点Ｊ１から払込書収納部１０５への一方向である。
【００２２】
ここで、払込部１０４は、媒体処理装置Ｘから取り外し可能に構成されており、媒体処理装置Ｘには、払込部１０４の代わりに通帳発行部１０７を装着することが可能である。図２は、払込書収納部１０５の代わりに通帳発行部１０７が装着された一般的な媒体処理装置Ｘの内部構成の一例を示す概略図である。図２を参照すると、媒体処理装置Ｘには、２つの払込書収納部１０５の代わりに２つの通帳発行部１０７が装着されている。通帳発行部１０７は、通帳収納部１０８を有する。
【００２３】
２つの通帳収納部１０８には、あらかじめ新規通帳が収納されている。そして、２つの通帳収納部１０８の何れかによって新規通帳が繰り出されると、新規通帳に対して印字部１０３によって印字が行われる。印字がなされた新規通帳は、印字部１０３から頁読取部・ＡＴＰ部１０２およびインサータ部１０１を経由して通帳挿入口１０９から媒体処理装置Ｘの外部に排出される。２つの通帳収納部１０８と印字部１０３との間の搬送方向は、２つの通帳収納部１０８から印字部１０３への一方向である。
【００２４】
以上、一般的な媒体処理装置Ｘについて説明した。上記したように、一般的な媒体処理装置Ｘを用いた場合には、払込書の処理時に通帳収納部１０８（通帳発行部１０７）を媒体処理装置Ｘから取り外して払込書収納部１０５（払込部１０４）を媒体処理装置Ｘに装着し、新規通帳の発行時に払込書収納部１０５を媒体処理装置Ｘから取り外して通帳収納部１０８を媒体処理装置Ｘに装着しなくてはならない。そのため、払込書収納部１０５および通帳収納部１０８の着脱の手間が掛かってしまう。
【００２５】
そこで、本明細書においては、払込書収納部１０５および通帳収納部１０８の着脱の手間を低減することが可能な技術について主に説明する。具体的には、払込書収納部１０５と通帳収納部１０８との両方を備える媒体処理装置について説明する。また、かかる媒体処理装置によれば、払込書収納部１０５が装着されているときにも新規通帳を発行し得るため、運用の停止を妨げ得る。また、かかる媒体処理装置によれば、通帳収納部１０８が装着されているときにも払込書の処理を行い得るため、運用の縮小を妨げ得る。
【００２６】
（２．第１の実施形態）
（２−１．媒体処理装置の構成）
（２−１−１．通帳ユニットの構成）
続いて、本発明の第１の実施形態について説明する。図３は、本発明の第１の実施形態に係る媒体処理装置Ｙ１の内部構成の一例を示す概略図である。図３に示すように、本発明の第１の実施形態に係る媒体処理装置Ｙ１は、通帳ユニット１、払込ユニット１８および制御部６０を備える。図３に示した例では、制御部６０は、通帳ユニット１の内部に存在しているが、制御部６０が存在する位置は特に限定されない。
【００２７】
図３に示したように、通帳ユニット１は、印字機構１０および通帳取込機構２を有する。また、通帳取込機構２は、通帳挿入口３、シャッタ４、幅寄せ部５、磁気データ読取書込部６、３対の搬送ローラ７、搬送路８および搬送モータ９を有する。さらに、印字機構１０は、通帳保管収納部１６、印字部１３、６対の搬送ローラ１４、切替ブレード２７ａ、２７ｂ、頁めくり部１１および印字読取部１２を有する。
【００２８】
通帳挿入口３は、利用者から媒体の挿入を受け付ける。通帳挿入口３には、図示しないセンサが備え付けられていてよい。そして、通帳挿入口３に挿入される媒体の横幅が、そのセンサによって検知されてよい。センサによって検知された横幅は、制御部６０による媒体の種類の判定に用いられてよい。さらに、通帳挿入口３からは媒体が排出されてもよい。本明細書においては、通帳挿入口３から媒体が排出される例を説明するが、媒体の排出は、通帳挿入口３とは異なる場所からなされてもよい。
【００２９】
シャッタ４は、図示しないモータにより開閉される。例えば、シャッタ４は、通帳挿入口３に挿入された媒体の横幅として通帳の横幅が検知された場合に開かれてよい。また、例えば、シャッタ４は、通帳挿入口３から通帳が排出されるときに開かれてよい。一方、シャッタ４は、媒体処理装置Ｙ１が待機状態である場合や、媒体処理装置Ｙ１が処理中である場合には、閉められていてよい。
【００３０】
幅寄せ部５は、図示しないモータの駆動により通帳を基準面に寄せることによって、通帳を安定して整列させる。磁気データ読取書込部６は、通帳に記録されている磁気データを読み取る。磁気データ読取書込部６によって読み取られた磁気データは、登録データとの間において制御部６０によって照合される。照合が失敗した場合には、通帳挿入口３から通帳が排出されてよい。一方、照合が成功した場合には、磁気データと一致した登録データに関連するデータが更新対象とされてよい。
【００３１】
搬送路８の上面においては、通帳が挿入方向または排出方向に搬送される。３対の搬送ローラ７それぞれは、対向する２つのローラにより構成されており、搬送モータ９の駆動によって回転することによって通帳を挟んで搬送路８の上面において挿入方向または排出方向に通帳を搬送させる。印字部１３は、印字ヘッド１３ａを用いて通帳に印字を行う。また、印字部１３は、払込ユニット１８から搬送された払込書に印字ヘッド１３ａを用いて印字を行うことも可能である。頁めくり部１１は、指定頁が開かれた状態となるまで通帳の頁めくりを行う。
【００３２】
印字読取部１２は、媒体（通帳および払込書）から印字を読み取る。例えば、印字読取部１２によって読み取られた印字の濃度は、制御部６０によって判定されてもよい。印字の濃度が所定の濃度より薄い場合には、その旨を出力させてもよい。また、印字読取部１２による読み取り結果に基づいて、制御部６０によって媒体（通帳および払込書）に印字があるか否かが判定されてもよい。印字がない場合には、媒体処理装置Ｙ１が停止状態になってもよい。例えば、印字読取部１２は、通帳から印字を読み取る場合には、通帳の頁に記されている頁マークを読み取ってよい。
【００３３】
搬送路１５の上面においては、媒体（通帳および払込書）が搬送される。６対の搬送ローラ１４それぞれは、対向する２つのローラにより構成されており、搬送モータ１７の駆動によって回転することによって通帳を挟んで搬送路１５の上面において媒体（通帳および払込書）を双方向に搬送させることが可能である。印字部１３に搬送された媒体（通帳および払込書）は、図示しない位置検知センサを用いて所定の印字開始位置において停止されてよい。
【００３４】
所定の印字開始位置において媒体（通帳および払込書）が停止されると、印字部１３は、図示しないモータによって印字ヘッド１３ａを搬送方向に対して垂直方向に移動させてよい。印字部１３は、このように印字ヘッド１３ａを移動させることによって、媒体（通帳および払込書）に印字を行うことが可能である。通帳保管収納部１６は、利用者によって通帳が取り忘れられた場合に、通帳を収納してよい。
【００３５】
切替ブレード２７ａは、図示しないモータにより開閉可能に構成されている。そして、切替ブレード２７ａの開閉に応じて媒体の搬送方向が切り替わる。例えば、切替ブレード２７ａの開閉に応じて、印字部１３および通帳保管収納部１６の間と印字部１３および媒体処理装置Ｙ１の外部の間とで媒体の搬送方向が切り替わる。かかる搬送方向の切り替えは、制御部６０によって制御され得る。
【００３６】
切替ブレード２７ｂは、図示しないモータにより開閉可能に構成されている。そして、切替ブレード２７ｂの開閉に応じて媒体の搬送方向が切り替わる。例えば、切替ブレード２７ｂの開閉に応じて、印字部１３および払込ユニット１８の間と印字部１３および通帳取込機構２の間とで媒体の搬送方向が切り替わる。かかる搬送方向の切り替えは、制御部６０によって制御され得る。
【００３７】
（２−１−２．払込ユニットの構成）
図３に示したように、払込ユニット１８は、払込書挿入口１９、シャッタ２０、３対の搬送ローラ２５、払込書読取部２２、搬送路２６、切替ブレード２７ｃ、２７ｄ、２対の搬送ローラ２８、２対の搬送ローラ２９、搬送ローラ３３、払込書収納部２３および通帳収納部２４を有する。
【００３８】
払込書挿入口１９は、利用者から媒体の挿入を受け付ける。払込書挿入口１９には、図示しないセンサが備え付けられていてよい。そして、払込書挿入口１９に挿入される媒体の横幅が、そのセンサによって検知されてよい。センサによって検知された横幅は、制御部６０による媒体の種類の判定に用いられてよい。さらに、払込書挿入口１９からは媒体が排出されてもよい。本明細書においては、払込書挿入口１９から媒体が排出される例を説明するが、媒体の排出は、払込書挿入口１９とは異なる場所からなされてもよい。
【００３９】
シャッタ２０は、図示しないモータにより開閉される。例えば、シャッタ２０は、払込書挿入口１９に挿入された媒体の横幅として払込書の横幅が検知された場合に開かれてよい。また、例えば、シャッタ２０は、払込書挿入口１９から払込書が排出されるときに開かれてよい。一方、シャッタ２０は、媒体処理装置Ｙ１が待機状態である場合や、媒体処理装置Ｙ１が処理中である場合には、閉められていてよい。
【００４０】
払込書読取部２２は、払込書の記載データ（例えば、文字、絵など）を読み取る。払込書読取部２２によって読み取られたデータは、登録データとの間において制御部６０によって照合される。照合が失敗した場合には、払込書挿入口１９から払込書が排出されてよい。一方、照合が成功した場合には、払込書の記載データと一致した登録データに関連するデータが更新対象とされてよい。
【００４１】
搬送路２６の上面においては、払込書が挿入方向または排出方向に搬送される。３対の搬送ローラ２５それぞれは、対向する２つのローラにより構成されており、搬送モータ２１の駆動によって回転することによって払込書を挟んで搬送路２６の上面において挿入方向または排出方向に払込書を搬送させる。
【００４２】
払込書挿入口１９から印字部１３に至るまでの搬送路には、払込書収納部２３から印字部１３に至るまでの搬送路が途中で合流している。本発明の第１の実施形態においては、この合流地点Ｊ２と払込書収納部２３との間の搬送路の搬送方向が、双方向である（制御部６０は、合流地点Ｊ２と払込書収納部２３との間の搬送方向を、合流地点Ｊ２から払込書収納部２３への方向と払込書収納部２３から合流地点Ｊ２への方向との間で切り替え可能である）。
【００４３】
同様に、払込書挿入口１９から印字部１３に至るまでの搬送路には、通帳収納部２４から印字部１３に至るまでの搬送路が途中で合流している。本発明の第１の実施形態においては、この合流地点Ｊ２と通帳収納部２４との間の搬送路の搬送方向が、双方向である（制御部６０は、合流地点Ｊ２と通帳収納部２４との間の搬送方向を、合流地点Ｊ２から通帳収納部２４への方向と通帳収納部２４から合流地点Ｊ２への方向との間で切り替え可能である）。
【００４４】
２対の搬送ローラ２８それぞれは、対向する２つのローラにより構成されており、搬送モータ１７の駆動によって回転することによって払込書を挟んで払込書収納部２３への収納方向または払込書収納部２３からの繰り出し方向に払込書を搬送させる。払込書収納部２３は、収納方向に搬送された払込書を収納する。
【００４５】
通帳収納部２４は、あらかじめ新規通帳を収納している。そして、通帳収納部２４は、あらかじめ収納している新規通帳を搬送路に繰り出すことが可能である。２対の搬送ローラ２９それぞれは、対向する２つのローラにより構成されており、搬送モータ１７の駆動によって回転することによって通帳を挟んで通帳収納部２４への収納方向または通帳収納部２４からの繰り出し方向に通帳を搬送させる。
【００４６】
切替ブレード２７ｃは、図示しないモータにより開閉可能に構成されている。そして、切替ブレード２７ｃの開閉に応じて媒体の搬送経路が切り替わる。例えば、切替ブレード２７ｃの開閉に応じて、印字部１３および通帳収納部２４を通過する経路と印字部１３および払込書読取部２２を通過する経路とで媒体の搬送経路が切り替わる。かかる搬送経路の切り替えは、制御部６０によって制御され得る。
【００４７】
切替ブレード２７ｄは、図示しないモータにより開閉可能に構成されている。そして、切替ブレード２７ｄの開閉に応じて媒体の搬送経路が切り替わる。例えば、切替ブレード２７ｄの開閉に応じて、印字部１３および払込書収納部２３を通過する経路と印字部１３および払込書読取部２２を通過する経路とで媒体の搬送経路が切り替わる。かかる搬送経路の切り替えは、制御部６０によって制御され得る。
【００４８】
搬送ローラ３３は、２つの合流地点Ｊ２の間に設けられている。搬送ローラ３３は、対向する２つのローラにより構成されており、搬送モータ２１の駆動によって回転することによって媒体（通帳および払込書）を挟んで媒体（通帳および払込書）を双方向に搬送させることが可能である。
【００４９】
制御部６０は、硬貨処理装置Ｙ１の動作全体を制御する。より具体的には、制御部６０は、通帳および払込書が挿入されたときに、硬貨処理装置Ｙ１の各構成要素の動作を制御する。例えば、硬貨処理装置Ｙ１は、硬貨処理装置Ｙ１の動作全体を制御するためのプログラムや各種のデータを記憶する図示しない記憶部を備えており、制御部６０は、当該記憶部によって記憶されたプログラムが読み出されて実行されることによって実現され得る。
【００５０】
以上に説明したように、本発明の第１の実施形態に係る硬貨処理装置Ｙ１は、印字済みの払込書を収納する払込書収納部２３と新規通帳が収納されている通帳収納部２４との双方を備えている。かかる構成によれば、印字済みの払込書を収納する払込書収納部２３および新規通帳を収納する通帳収納部２４の着脱の手間を低減することが可能となる。また、かかる構成によれば、新規通帳の発行と払込書の処理との双方を行うことが可能であるため、運用の停止および縮小を妨げ得る。
【００５１】
（２−２．媒体処理装置の動作）
次に、本発明の第１の実施形態に係る媒体処理装置Ｙ１の動作例について説明する。なお、以下に説明する動作例は、媒体処理装置Ｙ１の一例に過ぎないため、媒体処理装置Ｙ１の動作は、以下に説明する動作例に限定されない。まず、払込書および通帳の挿入から払込書への印字までの媒体処理装置Ｙ１の動作の一例について説明する。図４は、払込書および発行済みの通帳の挿入から払込書への印字までの媒体処理装置Ｙ１の動作の一例を説明するための概略図である。
【００５２】
まず、利用者が発行済みの通帳３０を通帳挿入口３に挿入する。図示しないセンサによって検知された横幅が通帳の横幅であると制御部６０によって判定されると、シャッタ４が開かれ、幅寄せ部５によって発行済みの通帳３０が基準面に寄せられ、搬送ローラ７により搬送路８の上面を発行済みの通帳３０が搬送される。そして、発行済みの通帳３０に記録されている磁気データが磁気データ読取書込部６によって読み取られる。磁気データ読取書込部６によって読み取られた磁気データは、登録データとの間で制御部６０によって照合される。
【００５３】
照合が成功すると、磁気データと一致した登録データに関連するデータが更新対象とされ、発行済みの通帳３０は通帳取込機構２に保持され、媒体処理装置Ｙ１は払込書３１の挿入待ちの状態となる。なお、利用者によってメニュー画面で「払込み」が選択された場合に、媒体処理装置Ｙ１が払込書３１の挿入待ちの状態となってもよい。また、ここでは、発行済みの通帳３０が払込書３１よりも先に挿入される例を説明するが、発行済みの通帳３０および払込書３１の挿入順序は特に限定されない。
【００５４】
続いて、利用者が払込書３１を払込書挿入口１９に挿入する。図示しないセンサによって検知された横幅が払込書の横幅であると制御部６０によって判定されると、シャッタ２０が開かれ、搬送ローラ２５により搬送路２６の上面を払込書３１が搬送される。そして、払込書３１の記載データ（例えば、文字、絵など）が払込書読取部２２によって読み取られる。払込書読取部２２によって読み取られた記載データは、登録データとの間で制御部６０によって照合される。
【００５５】
照合が成功すると、記載データと一致した登録データに関連するデータが更新対象とされる。更新対象にされたデータは、所定のホストコンピュータによって更新される。具体的には、利用者によって払込金額が入力されると、所定のホストコンピュータによって、磁気データと一致した口座の残高から払込金額が差し引かれ、記載データと一致した口座の残高に払込金額が加算される。
【００５６】
そして、制御部６０は、図示しないモータの駆動により、切替ブレード２７ｂにおける搬送経路を、印字部１３および払込ユニット１８を通過する経路に切り替える。払込書３１は、搬送ローラ２５および搬送ローラ３３により搬送路２６の上面を搬送される。印字部１３に搬送された払込書３１は、図示しない位置検知センサを用いて所定の印字開始位置において停止される。所定の印字開始位置において払込書３１が停止されると、印字部１３は、印字ヘッド１３ａを用いて払込書３１に取引内容を印字する。取引内容は、取引日時を含んでもよいし、取引店舗名を含んでもよい。
【００５７】
図５は、払込書３１の印字から払込書３１および発行済みの通帳３０の一時退避までの媒体処理装置Ｙ１の動作の一例を説明するための概略図である。印字部１３による払込書３１への印字が完了すると、切替ブレード２７ｂにおける搬送経路を、印字部１３および通帳取込機構２を通過する経路に切り替えられる。そして、払込書３１は、搬送ローラ１４によって印字読取部１２に搬送され、印字読取部１２によって印字が読み取られる。
【００５８】
印字読取部１２による読み取り結果に基づいて、制御部６０によって払込書３１に印字があると判定されると、払込書３１は、搬送ローラ１４によって切替ブレード２７ｂよりも印字部１３側に搬送される。そして、切替ブレード２７ｂにおける搬送経路が、印字部１３および払込ユニット１８を通過する経路に切り替えられる。そして、制御部６０は、払込書３１を所定の第一の位置に一時退避させる。
【００５９】
ここで、所定の第一の位置は特に限定されないが、通帳収納部２４からの新規通帳の繰り出しを妨げないようにするため、通帳収納部２４から印字部１３までの搬送路上の位置とは異なる位置であるとよい。また、通帳挿入口３から挿入された発行済みの通帳３０の印字部１３への搬送を妨げないようにするため、所定の第一の位置は、印字部１３から通帳挿入口３までの搬送路上の位置とは異なる位置であるとよい。図５には、制御部６０は、払込書３１を払込書読取部２２に一時退避させる例が示されている。
【００６０】
続いて、制御部６０は、図示しないモータの駆動により、切替ブレード２７ｂにおける搬送経路を、印字部１３および通帳取込機構２を通過する経路に切り替える。発行済みの通帳３０は、印字部１３に搬送され、図示しない位置検知センサを用いて所定の印字開始位置において停止される。所定の印字開始位置において発行済みの通帳３０が停止されると、印字部１３は、印字ヘッド１３ａを用いて発行済みの通帳３０に取引内容を印字する。
【００６１】
印字部１３による発行済みの通帳３０への印字が完了すると、発行済みの通帳３０は、搬送ローラ１４によって印字読取部１２に搬送され、印字読取部１２によって印字が読み取られる。制御部６０は、印字読取部１２による読み取り結果に基づいて、発行済みの通帳３０に印字があると判定すると、頁マークの読み取り結果に基づいて、発行済みの通帳３０に印字し切れたか否かを判定する。
【００６２】
ここでは、制御部６０が、発行済みの通帳３０に印字し切れないと判定した場合を説明する。かかる場合、発行済みの通帳３０は、搬送ローラ１４によって切替ブレード２７ｂよりも印字部１３側に搬送される。そして、切替ブレード２７ｂにおける搬送経路が、印字部１３および払込ユニット１８を通過する経路に切り替えられる。そして、制御部６０は、発行済みの通帳３０を所定の第二の位置に一時退避させる。
【００６３】
ここで、所定の第二の位置は特に限定されないが、通帳収納部２４からの新規通帳の繰り出しを妨げないようにするため、通帳収納部２４から印字部１３までの搬送路上の位置とは異なる位置であるとよい。また、新規通帳の印字部１３から通帳挿入口３への搬送を妨げないようにするため、所定の第二の位置は、印字部１３から通帳挿入口３までの搬送路上の位置とは異なる位置であるとよい。図５には、制御部６０は、発行済みの通帳３０を搬送ローラ３３の位置に一時退避させる例が示されている。
【００６４】
図６は、払込書３１および発行済みの通帳３０の一時退避から発行済みの通帳３０の排出までの媒体処理装置Ｙ１の動作の一例を説明するための概略図である。まず、制御部６０は、図示しないモータの駆動により、切替ブレード２７ｃにおける搬送経路を、印字部１３および通帳収納部２４を通過する経路に切り替える。そして、制御部６０は、通帳収納部２４に収納されている新規通帳３４を繰り出させる。
【００６５】
ここで、図７を参照しながら、通帳収納部２４から新規通帳３４が繰り出される様子について説明する。図７は、通帳収納部２４から新規通帳３４が繰り出される様子を示す図である。図７に示すように、通帳押し板４０には、新規通帳群３４Ｓが集積されている。新規通帳群３４Ｓは、スプリング３８から通帳押し板４０に与えられる力によって繰り出しローラ３７に押し付けられた状態が保たれている。
【００６６】
分離モータ４１の駆動により繰り出しローラ３７が回転されることによって、繰り出しローラ３７に接触している新規通帳３４が新規通帳群３４Ｓから分離される。また、搬送ローラ２９も回転する。しかし、繰り出しローラ３７の回転は、固定パルス分なされてから停止する一方、搬送ローラ２９は、固定パルス分回転した後も停止しない。そのため、新規通帳群３４Ｓから新規通帳３４だけが繰り出され得る。
【００６７】
なお、制御部６０は、繰り出しローラ３７が所定パルス回転した後も、分離不良検知センサ３５によって新規通帳３４が検知されている場合には、新規通帳群３４Ｓから新規通帳３４の分離が失敗したと判定し、搬送ローラ２９を停止させてもよい。また、制御部６０は、媒体有無検知センサ３６によって新規通帳群３４Ｓが検知されない場合には、通帳収納部２４に新規通帳群３４Ｓが収納されていないと判定し、その旨を出力させてもよい。
【００６８】
分離板３９は、繰り出しローラ３７が回転しているときには、通帳収納部２４における新規通帳３４の出口の厚みを通帳厚以上にするように移動し、繰り出しローラ３７が停止しているときには、通帳収納部２４における新規通帳３４の出口の厚みを通帳厚よりも小さくするように移動するとよい。そうすれば、新規通帳３４の繰り出し時には、通帳収納部２４から新規通帳３４を繰り出すことが可能であり、それ以外のときには、通帳収納部２４から新規通帳３４が飛び出すことを防止することが可能である。
【００６９】
図６に戻って説明を続ける。通帳収納部２４から繰り出された新規通帳３４は、搬送ローラ２９および搬送ローラ３３により切替ブレード２７ｃを経由し、印字部１３に搬送される。印字部１３に搬送された新規通帳３４は、図示しない位置検知センサを用いて所定の印字開始位置において停止される。所定の印字開始位置において新規通帳３４が停止されると、印字部１３は、印字ヘッド１３ａを用いて新規通帳３４に取引内容の続きを印字する。
【００７０】
印字部１３による新規通帳３４への印字が完了すると、切替ブレード２７ｂにおける搬送経路が、印字部１３および通帳取込機構２を通過する経路に切り替えられる。そして、新規通帳３４は、搬送ローラ１４によって印字読取部１２に搬送され、印字読取部１２によって印字が読み取られる。
【００７１】
印字読取部１２による読み取り結果に基づいて、制御部６０によって新規通帳３４に印字があると判定されると、新規通帳３４は、搬送ローラ１４および搬送ローラ７によって磁気データ読取書込部６に搬送される。新規通帳３４は、磁気データ読取書込部６によって磁気データが書き込まれると、搬送ローラ７によって通帳挿入口３に搬送され、新規通帳３４が通帳挿入口３から排出される。利用者によって新規通帳３４が取り出されると、切替ブレード２７ｂにおける搬送経路が、印字部１３および払込ユニット１８を通過する経路に切り替えられる。
【００７２】
発行済みの通帳３０は、搬送ローラ１４によって切替ブレード２７ｂよりも印字部１３側に搬送される。そして、切替ブレード２７ｂにおける搬送経路が、印字部１３および通帳取込機構２の間となるように切り替えられる。そして、発行済みの通帳３０は、搬送ローラ１４および搬送ローラ７によって通帳挿入口３に搬送され、発行済みの通帳３０が通帳挿入口３から排出される。利用者によって発行済みの通帳３０が取り出されると、切替ブレード２７ｂにおける搬送経路が、印字部１３および払込ユニット１８を通過する経路となるように切り替えられる。
【００７３】
図８は、発行済みの通帳３０の排出から払込書３１の収納までの媒体処理装置Ｙ１の動作の一例を示す図である。図８に示すように、払込書読取部２２に一時退避されていた払込書３１は、搬送ローラ２５により搬送ローラ３３まで搬送され、搬送ローラ３３の位置で停止する。払込書３１が搬送ローラ３３の位置で停止されると、図示しないモータの駆動により、切替ブレード２７ｄにおける搬送経路が、印字部１３および払込書収納部２３を通過する経路となるように切り替えられる。
【００７４】
続いて、払込書３１は、搬送ローラ３３から搬送ローラ２８に搬送され、搬送ローラ２８により払込書収納部２３に搬送される。払込書収納部２３に搬送された払込書３１は、払込書収納部２３に収納される。ここで、図９を参照しながら、払込書３１が払込書収納部２３に収納される様子について説明する。図９は、払込書３１が払込書収納部２３に収納される様子を示す図である。
【００７５】
図９に示すように、搬送ローラ２８によって搬送された払込書３１は、搬送ローラ２８および搬送ローラ４２によって払込書収納部２３における払込書３１の入口に搬送される。そして、払込書３１は、搬送ローラ４２に付属する舌片４３によって叩かれ、払込書収納部２３に既に収納されている払込書群３１Ｓの上に集積される。払込書３１が払込書収納部２３に入り切っていない場合には、残留検知センサ４４によって払込書３１が検知され、制御部６０によって払込書３１が払込書収納部２３に入り切っていない旨が出力されてよい。払込書３１が取り除かれれば、次の払込書３１が払込書収納部２３に搬送されてジャムが発生することが防止され得る。
【００７６】
また、図９に示すように、搬送ローラ２８および搬送ローラ４２は、双方向に回転し得るため、払込書３１の逆流を防止するためのレバー４５が設けられているとよい。レバー４５は、払込書収納部２３における払込書３１の入口を塞ぐように設けられており、払込書収納部２３の外側から押圧を受けると、払込書収納部２３における払込書３１の入口を開けるように回動し得る。一方、払込書収納部２３の内側から押圧を受けても、回動しないように構成されている。
【００７７】
また、制御部６０は、媒体有無検知センサ３６によって払込書群３１Ｓが検知されない場合には、払込書収納部２３に払込書群３１Ｓが収納されていないと判定し、その旨を出力させてもよい。また、払込書収納部２３に収納された払込書群３１Ｓの枚数が所定枚数に達すると、支軸４６を中心に回動可能に構成された回動部材４７ａを払込書群３１Ｓが押圧することによって回動部材４７ａが接触検知センサ４７に接触する。制御部６０は、接触検知センサ４７への回動部材４７ａの接触が検知されると、払込書収納部２３に収納されている払込書群３１Ｓの枚数が収納限度枚数に達していると判定し、その旨を出力させてもよい。
【００７８】
（２−３．第１の実施形態の有効性）
本発明の第１の実施形態によれば、発行済みの通帳３０が挿入される通帳挿入口３と、払込書３１が挿入される払込書挿入口１９と、発行済みの通帳３０および払込書３１に印字を行う印字部１３と、印字部１３によって印字された払込書３１を収納する払込書収納部２３と、新規通帳３４が収納されている通帳収納部２４と、を備える、媒体処理装置Ｙ１が提供される。
【００７９】
かかる構成によれば。印字済みの払込書３１を収納する払込書収納部２３および新規通帳３４を収納する通帳収納部２４の着脱の手間を低減することが可能となる。また、かかる構成によれば、新規通帳３４の発行と払込書３１の処理との双方を行うことが可能であるため、運用の停止および縮小を妨げ得る。以上、本発明の第１の実施形態について説明した。
【００８０】
（３．第２の実施形態）
（３−１．媒体処理装置の構成）
続いて、本発明の第２の実施形態について説明する。なお、以下の説明においては、本発明の第２の実施形態に係る媒体処理装置Ｙ２が有する構成のうち、本発明の第１の実施形態に係る媒体処理装置Ｙ１が有する構成と同一の構成には、媒体処理装置Ｙ１が有する構成に付された符号と同一の符号を媒体処理装置Ｙ２が有する構成に付し、媒体処理装置Ｙ２が有する構成の説明を省略する。
【００８１】
本発明の第１の実施形態においては、払込書収納部２３および通帳収納部２４が別個に払込ユニット１８に備え付けてある場合を主に想定して説明した。しかし、払込書収納部２３および通帳収納部２４が別個に払込ユニット１８に備え付けてある場合には、払込書収納部２３および通帳収納部２４を容易に仕様変更することができない。そこで、本発明の第２の実施形態においては、払込書収納部２３および通帳収納部２４を容易に仕様変更することが可能な媒体処理装置Ｙ２を主に説明する。仕様変更の例については、後に詳細に説明する。
【００８２】
図１０は、本発明の第２の実施形態に係る媒体処理装置Ｙ２の内部構成の一例を示す概略図である。図１０に示すように、本発明の第２の実施形態に係る媒体処理装置Ｙ２は、払込書収納部２３と通帳収納部２４とが一体化されたカセット４８−１を有する。かかる構成によれば、払込ユニット１８からカセット４８−１を着脱させることによって、払込ユニット１８から払込書収納部２３および通帳収納部２４を容易に着脱することが可能となるため、払込書収納部２３および通帳収納部２４を容易に仕様変更することが可能となる。
【００８３】
図１１は、媒体処理装置Ｙ２が有するカセット４８−１の内部構成の一例を示す正面図である。図１１に示すように、カセット４８−１の上段には、払込書収納部２３、媒体有無検知センサ３６、支軸４６、接触検知センサ４７および回動部材４７ａが組み込まれている。また、カセット４８−１の上段には、搬送ローラ２８によって搬送された払込書３１をカセット４８−１の内部に導くための搬送路４９が形成されている。
【００８４】
また、図１１に示すように、カセット４８−１の下段には、通帳収納部２４、媒体有無検知センサ３６、繰り出しローラ３７、スプリング３８、分離板３９および通帳押し板４０が組み込まれている。また、カセット４８−１の下段には、新規通帳３４をカセット４８−１の外部に存在する搬送ローラ２９に導くための搬送路５０が形成されている。さらに、図１１に示すように、カセット４８−１には、払込ユニット１８に固定される２つの固定ポスト５１が形成されていてよい。
【００８５】
図１２は、媒体処理装置Ｙ２が有するカセット４８−１の内部構成の一例を示す側面図である。特に、図１２には、媒体処理装置Ｙ２を図１０に示した方向ｘに見たときの側面図が示されている。図１２に示すように、払込ユニット１８の正面にはポスト５２が形成されており、カセット４８−１の背面に形成された開口部５５にポスト５２が嵌合することによって、カセット４８−１の左右方向の移動が規制される。
【００８６】
また、図１２に示すように、払込ユニット１８の正面には、ストッパ５６が形成されており、カセット４８−１の背面がストッパ５６に接触することによって、カセット４８−１の奥側への移動が規制される。また、払込ユニット１８には、支軸５４を中心に回動可能に構成されたロックレバー５３が形成されており、カセット４８−１に形成されている固定ポスト５１にロックレバー５３が係合することによって、カセット４８−１の手前側への移動が規制される。
【００８７】
上記したように、本発明の第２の実施形態によれば、カセット４８−１が有する払込書収納部２３および通帳収納部２４を容易に仕様変更することが可能である。例えば、媒体処理装置Ｙ２の管理者などが、払込ユニット１８からカセット４８−１を取り外し、カセット４８−１の内部の構成を変更することによって、カセット４８−１が有する払込書収納部２３および通帳収納部２４を容易に仕様変更することが可能である。
【００８８】
さらに、本発明の第２の実施形態においては、払込書収納部２３と通帳収納部２４とがカセット４８−１の内部に一体化されていることにより、払込書収納部２３および通帳収納部２４を取り外しやすくなるといった操作性の向上も期待される。
【００８９】
図１３は、第１の変形例に係るカセット４８−２の内部構成の一例を示す図である。図１３に示すように、第１の変形例に係るカセット４８−２は、通帳収納部２４を有していない分、第１の変形例に係るカセット４８−２では、払込書収納部２３のサイズを大きくすることが可能となっている。この例のように、本発明の第２の実施形態に係るカセット４８−１は、カセット内部の払込書収納専用のカセット４８−２に容易に仕様変更され得る。
【００９０】
図１４は、第２の変形例に係るカセット４８−３の内部構成の一例を示す図である。図１４に示すように、第２の変形例に係るカセット４８−３は、カセット４８−３の上段に、通帳収納部２４＃が組み込まれ、カセット４８−３の下段に、払込書収納部２３＃が組み込まれている。この例のように、本発明の第２の実施形態に係るカセット４８−１は、払込書収納部２３および通帳収納部２４の位置を逆にしたカセット４８−３に容易に仕様変更され得る。
【００９１】
ただし、払込書収納部２３＃の内部には、搬送ローラ５７、搬送ローラ４２および搬送ローラ４２に付属する舌片４３が設けられているのがよい。そうすれば、搬送ローラ５７によって搬送された払込書３１は、搬送ローラ４２によって払込書収納部２３＃における払込書３１の入口に搬送される。そして、払込書３１は、搬送ローラ４２に付属する舌片４３によって叩かれ、払込書収納部２３に既に収納されている払込書群３１Ｓの上に集積される。
【００９２】
さらに、通帳収納部２４＃の内部には、搬送ローラ５８が設けられているのがよい。そして、繰り出しローラ３７が回転されることによって、繰り出しローラ３７に接触している新規通帳が新規通帳群３４Ｓから分離されるとともに、搬送ローラ５８も回転する。繰り出しローラ３７の回転は、固定パルス分なされてから停止する一方、搬送ローラ５８は、固定パルス分回転した後も停止しない。そのため、繰り出しローラ３７に接触している新規通帳だけが繰り出され得る。
【００９３】
図１５は、第３の変形例に係るカセット４８−４の内部構成の一例を示す図である。図１５に示すように、第３の変形例に係るカセット４８−４は、カセット４８−４の上段および下段それぞれに、払込書収納部２３＃が組み込まれている。この例のように、本発明の第２の実施形態に係るカセット４８−１は、上段および下段それぞれに払込書収納部２３♯を組み込んだカセット４８−４に容易に仕様変更され得る。カセット４８−４の上段および下段には、異なる種類の払込書が収納されてもよい。
【００９４】
（３−２．第２の実施形態の有効性）
本発明の第２の実施形態によれば、払込書収納部２３と通帳収納部２４とが一体化されたカセット４８−１を有する、媒体処理装置Ｙ２が提供される。かかる構成によれば、媒体処理装置Ｙ２の管理者などが、払込ユニット１８からカセット４８−１を取り外し、カセット４８−１の内部の構成を変更することによって、カセット４８−１が有する払込書収納部２３および通帳収納部２４を容易に仕様変更することが可能である。
【００９５】
さらに、本発明の第２の実施形態においては、払込書収納部２３と通帳収納部２４とがカセット４８−１の内部に一体化されていることにより、払込書収納部２３および通帳収納部２４を取り外しやすくなるといった操作性の向上も期待される。
【００９６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９８】
また、例えば、本発明の第１の実施形態において、払込書収納部２３および通帳収納部２４それぞれには、鍵穴が設けられていてもよい。そして、払込書収納部２３および通帳収納部２４それぞれは、鍵が鍵穴に差し込まれて解錠されてからでなければ開くことができない構成にされていてもよい。そうすれば、払込書収納部２３に収納されている払込書および通帳収納部２４に収納されている通帳が鍵の所有者以外の者によって持ち去られる可能性を低減することが可能となる。
【００９９】
同様に、本発明の第２の実施形態においては、カセット４８−１には、鍵穴が設けられていてもよい。そして、カセット４８−１は、鍵が鍵穴に差し込まれて解錠されてからでなければ開くことができない構成にされていてもよい。そうすれば、払込書収納部２３に収納されている払込書および通帳収納部２４に収納されている通帳が鍵の所有者以外の者によって持ち去られる可能性を低減することが可能となる。
【０１００】
また、例えば、媒体処理装置Ｙ１および媒体処理装置Ｙ２それぞれの動作全体を制御するための制御部６０は、専用のハードウェアによって構成されてもよいし、媒体処理装置Ｙ１および媒体処理装置Ｙ２それぞれに内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【符号の説明】
【０１０１】
Ｙ１、Ｙ２  媒体処理装置
１      通帳ユニット
２      通帳取込機構
３      通帳挿入口
４      シャッタ
５      幅寄せ部
６      磁気データ読取書込部
７      搬送ローラ
８      搬送路
９      搬送モータ
１０    印字機構
１１    頁めくり部
１２    印字読取部
１３    印字部
１３ａ  印字ヘッド
１４    搬送ローラ
１５    搬送路
１７    搬送モータ
１６    通帳保管収納部
１８    払込ユニット
１９    払込書挿入口
２０    シャッタ
２１    搬送モータ
２２    払込書読取部
２３    払込書収納部
２４    通帳収納部
２５    搬送ローラ
２６    搬送路
２７ａ〜２７ｄ  切替ブレード
２８    搬送ローラ
２９    搬送ローラ
３０    発行済みの通帳
３１    払込書
３３    搬送ローラ
３４    新規通帳
６０    制御部
Ｊ２    合流地点
【図１】
0006455031.tif 000002
【図２】
0006455031.tif 000003
【図３】
0006455031.tif 000004
【図４】
0006455031.tif 000005
【図５】
0006455031.tif 000006
【図６】
0006455031.tif 000007
【図７】
0006455031.tif 000008
【図８】
0006455031.tif 000009
【図９】
0006455031.tif 000010
【図１０】
0006455031.tif 000011
【図１１】
0006455031.tif 000012
【図１２】
0006455031.tif 000013
【図１３】
0006455031.tif 000014
【図１４】
0006455031.tif 000015
【図１５】
0006455031.tif 000016